【事件の表示】
　特願２０００−５７７９８３「スキンケア組成物」拒絶査定不服審判事件〔平成１２年　５月　４日国際公開、ＷＯ００／２４３７２、平成１５年　８月１９日国内公表、特表２００３−５２４６０５〕について、次のとおり審決する。
【結　論】
　本件審判の請求は、成り立たない。
【理　由】
 
１．手続の経緯 
　　　
　本願は，１９９９年６月２８日（パリ条約による優先権主張１９９８年１０月２３日、米国）を国際出願日とする出願であって、平成１７年３月１７日付けで拒絶査定がなされ、これに対し平成１７年６月２７日に拒絶査定に対する審判請求がなされたものである。
　　　
２．本願発明
　　　
　本願の特許請求の範囲の請求項１〜２２に係る発明のうち、請求項１に係る発明は，特許請求の範囲の請求項１に記載された事項により特定される次のとおりのものと認める。
　　　
「【請求項１】(a)中央値（median)粒度が２〜３０μｍであり、屈折率が１．３〜１．７であり、組成物中に分散される第１粒子状物質を０．５％〜２５％；
　（ｂ）ビタミンＢ３化合物、レチノイド及びこれらの混合物から選択される、長期に亘って（chronically)皮膚を調節するのに有効な、安全且つ有効な量の活性物質；及び
　（ｃ）局所キャリア
を含む局所適用組成物。」（以下、これを「本願発明」という。）
　　　
３．引用文献の記載の概要
　　　
　これに対して，原審における拒絶の理由に引用された，本願の優先日前である１９９７年１０月３０日に頒布された国際公開第９７／３９７３３号パンフレット（以下「引用文献１」という。）には，次の事項が記載されている。
　　
ａ−１．「９．皮膚の状態を調整するために適切な局所用組成物であって、該組成物が：
（ａ）安全で有効量の２％から５％の範囲のビタミンＢ３化合物、好ましくはナイアシンアミド、ナイアシンアミドの誘導体、血管非拡張性のニコチン酸のエステルおよびそれらの組合せから選ばれ、より好ましくはナイアシンアミド、トコフェロールニコチネートおよびそれらの組合せから選ばれ、最も好ましくはナイアシンアミド；該ビタミンＢ３化合物が、好ましくはビタミンＢ３の塩を実質的に含まないか、および／または実質的に複合体を形成しない；
（ｂ）安全で有効量の、好ましくは０．０１％から２％の範囲のレチノイド、好ましくはレチノール、レチニルパルミテート、レチニルアセテート、レチニルプロプリオネート、レチナールおよびそれらの組合せから選ばれ、より好ましくはレチノール、レチニルパルミテートおよびそれらの組合せから選ばれるレチノイド；ならびに
（ｃ）前記ビタミンＢ３化合物および前記レチノイドのためのキャリヤであって、該キャリヤは、好ましくは親水性希釈剤を含む
を含む当該組成物。」（第４７頁、特許請求の範囲第９項）
　　
ａ−２．「本発明は、皮膚の状態を調節する、特に、例えば皮膚の加齢に伴う目に見える不連続性および／または触知できる不連続性を調整するビタミンＢ３化合物を含む局所用組成物に関する。好ましい組成物はナイアシンアミドを含む。」（第１頁１１〜１４行）
　　
ａ−３．「当技術分野では以前には認識されていなかったが、ビタミンＢ３化合物（ナイアシンアミドを含む）は皮膚の状態の調整に有益であることを本発明者らは見出した。例えば、局所用ナイアシンアミドは皮膚の加齢の兆候を調整することができ、例えば、小皺、皺、および加齢または光により損傷を受けた皮膚に付随する非平滑なもしくは粗いテクスチャを示す他の形態を減少させるかまたは消し去ることができる。さらにまた、当技術分野では以前には認識されていなかったが、ビタミンＢ３化合物およびレチノイドを含む局所用組成物は、皮膚の状態を調節するために利点を提供することを発明者らは見出した。例えば、そのような組成物は、レチノイドによる皮膚炎の可能性を減らすと共に、加齢の兆候を調整することができる。さらに、ある種のレチノイドと組み合わせたビタミンＢ３化合物は、相乗作用によって皮膚の加齢の兆候を調整し、特に加齢に伴う皮膚のテクスチャにおける目に見える不連続性および／または触知できる不連続性（小皺および皺を含む）を調整できる。」（第２頁９〜２１行）
　　　
ａ−４．「本発明で有用な局所用組成物は、当技術分野で既知の多様な生成物形態として得ることができる。これら生成物形態には、ローション、クリーム、ジェル、・・・ムースおよび化粧品（例えば、固体、半固体、または液体化粧品、これはファンデーション、アイメーキャップ、着色若しくは非着色の口唇用トリートメント、例えばリップスティックなどを含む）が含まれるが、これらに限定されるものではない。」（第９頁２０〜２５行）
　　　
ａ−５．「”ファンデーション”という用語は、液体、半液体、半固体または固体の皮膚化粧品を指し、これには、ローション、クリーム、ジェル、ペースト、固形物などが含まれるが、これらに限定されるものではない。典型的にはファンデーションは皮膚の広い面積、例えば顔全体に用いられ、固有の外観を提供する。ファンデーションは、典型的には着色化粧品、例えば口紅、頬紅、パウダーなどのための固着性基剤を提供するために用いられ、皮膚の欠陥を隠して滑らかで平滑な外観を皮膚に付与する傾向を有する。ファンデーションは、皮膚科学的に許容できるビタミンＢ３用キャリヤを含み、さらに通常の配合剤、例えば、油、・・・などを含むことができる。」（第２５頁３〜９行）
　　
ａ−６．「好ましい実施態様では、本組成物は長期にわたって皮膚に塗布される。”長期に亘る局所塗布”とは、対象者の生涯の長期間にわたって、好ましくは少なくとも約１週間、より好ましくは少なくとも約１ヵ月、さらに好ましくは少なくとも３ヵ月、さらに好ましくは少なくとも６ヵ月、尚好ましくは少なくとも約１年継続して局所的に塗布することを意味する。」（第４０頁２０〜２５行）
　　　
　また、同じく同拒絶理由に引用された、本願の優先日前に頒布されたことが明らかな特開平９−１２４２９号公報（以下「引用文献２」という。）には、次の事項が記載されている。
　　　
ｂ−１．「平均粒径３．０〜２０．０μｍの球状粉末と炭化水素ワックスを含有することを特徴とする固形粉末化粧料。」（特許請求の範囲の請求項１）
　　
ｂ−２．「本発明は、とれがよく、塗布時ののび、滑らかさに優れ、塗布後の粉っぽさがなく、仕上がりの美しい固形粉末化粧料に関する。」（段落【０００１】）
　　
ｂ−３．「本発明で用いる平均粒径３．０〜２０．０μｍの球状粉末の素材はとくに限定されないが球状樹脂粉末がのびやすべりの点で好ましい。球状樹脂粉末としては、例えばポリアミド樹脂粉末（ナイロン粉末）、ポリエチレン粉末、ポリメチルメタクリレート粉末、ポリスチレン粉末、スチレンとアクリル酸の共重合体樹脂粉末、ベンゾグアナミン樹脂粉末、ポリ四フッ化エチレン粉末、シリーン樹脂粉末（審決注：「シリコーン樹脂粉末」の誤記）等が挙げられる。・・・」（段落【０００５】）
　　
ｂ−４．「・・・。球状粉末の含有量は、特に限定されないが、本発明の固形粉末化粧料全量中１〜５０重量％が好ましい。・・・」（段落【０００６】）
　　
ｂ−５．「実施例２２　ファンデーション
（１）　酸化チタン　　　　　　　　　　　１０．０
（２）　タルク　　　　　　　　　　　　　１０．０
（３）　白雲母　　　　　　　　　　　　　　５．０
（４）　セリサイト　　　　　　　　　　　４７．９
（５）　赤酸化鉄　　　　　　　　　　　　　０．５
（６）　黄酸化鉄　　　　　　　　　　　　　２．０
（７）　黒酸化鉄　　　　　　　　　　　　　０．１
（８）　シリコーン樹脂　　　　　　　　　１０．０
　　　（平均粒径：４．５μｍ、トスパール１４５；
　　　　東芝シリコーン株式会社製）
（９）　シリコーンオイル　　　　　　　　　１．０
（１０）流動パラフィン　　　　　　　　　　５．０
（１１）セレシンワックス　　　　　　　　　４．０
（１２）セスキイソステアリン酸ソルビタン　０．２
（１３）エチルパラベン　　　　　　　　　　０．２
（１４）ビタミンＥ　　　　　　　　　　　　　適量
（１５）香料　　　　　　　　　　　　　　　　適量
（１６）紫外線吸収剤　　　　　　　　　　　 ４．０
実施例１と同様にしてファンデーションを得た。とれがよく、仕上がりが粉っぽくなくのびのよい使用感触であった。」（段落【００４０】）　　
　　
　また、同じく同拒絶理由に引用された、本願の優先日前に頒布されたことが明らかな特開平５−４３４２０号公報（以下「引用文献３」という。）には、次の事項が記載されている。
　　
ｃ−１　次の成分（Ａ）及び（Ｂ）を含有することを特徴とする化粧料。
　（Ａ）ポリメチルシルセスキオキサン粉末
　（Ｂ）疎水化処理粉体
　　（特許請求の範囲の請求項１）
　　　
ｃ−２【課題を解決するための手段】
　本発明者らは、かかる実情に鑑み鋭意検討した結果、ポリメチルシルセスキオキサン粉末と疎水化処理粉体とを併用することにより、肌への密着性が良好で、化粧くずれが少なく、しかも感触良好な化粧料が得られることを見出し、本発明を完成するに至った。（段落【０００６】）
　　
ｃ−３　ポリメチルシルセスキオキサン粉末の粒子形は真球状であり、平均粒子径は０．１〜２０μｍ、特に２〜１２μｍのものが好ましく、さらには粒度分布が平均粒子径の±３０％の範囲にあるものが好ましい。（段落【０００９】）
　　　
ｃ−４　かかるポリメチルシルセスキオキサン粉末は、例えば平均粒子径５μｍの真球状粒子からなり、真比重１．３、カサ比重０．３５、比表面積１５〜３０cm2／ｇ、アマニ油吸油量７５ml／１００ｇの白色微粉末である「トスパール１２０」及び平均粒子径４．５μｍの粒子からなり、真比重１．３、カサ比重０．４３、比表面積１５〜３０cm2／ｇ、アマニ油吸油量５８ml／１００ｇの白色微粉末である「トスパール１４５」として東芝シリコーン株式会社より販売されている。（段落【００１０】）
　　　
ｃ−５　本発明において（Ａ）成分のポリメチルシルセスキオキサン粉末の配合量は、剤型に応じて変えることができるが、化粧料中に０．０１〜４０重量％、特に１〜２０重量％配合されることが好ましい。（段落【００１１】）
　　　
ｃ−６
実施例４（両用パウダーファンデーション）
下記組成の両用パウダーファンデーションを、実施例１と同様にして得た。
　　　　　　　　　　　　　　　　　　　　　　　　　　　　（重量％）
（１）疎水化処理粉体（製造例２に従って処理したものを後から混合）
　　　マイカ　　　　　　　　　　　　　　　　　　　　　　　バランス
　　　タルク　　　　　　　　　　　　　　　　　　　　　　　４．８
　　　酸化チタン　　　　　　　　　　　　　　　　　　　　　１４．０
　　　雲母チタン　　　　　　　　　　　　　　　　　　　　　３．５
　　　酸化鉄（赤、黄、黒）　　　　　　　　　　　　　　　　８．２
　　　酸化亜鉛　　　　　　　　　　　　　　　　　　　　　　４．５
　　　酸化アルミニウム　　　　　　　　　　　　　　　　　１０．０
　　　硫酸バリウム　　　　　　　　　　　　　　　　　　　　５．０
（２）ポリメチルシルセスキオキサン粉末　　　　　　　　　１５．０
　　　（「トスパール１４５」、東芝シリコーン社製）
（３）ジメチルポリシロキサン　　　　　　　　　　　　　　　４．０
　　　（「KF96A」信越化学工業製、６cs）
（４）ラノリン　　　　　　　　　　　　　　　　　　　　　　６．０
（５）ワセリン　　　　　　　　　　　　　　　　　　　　　　１．０
（６）流動パラフィン　　　　　　　　　　　　　　　　　　　１．０
（７）イソプロピルミリステート　　　　　　　　　　　　　　１．０
（８）防腐剤　　　　　　　　　　　　　　　　　　　　　　　１．５
（９）香料　　　　　　　　　　　　　　　　　　　　　　　　０．１
　　　　（段落【００３２】）
　　　　
４．対比
　　　
　本願発明と引用文献１の請求項９に記載された発明（上記摘記事項のａ−１参照）とを対比すると、ビタミンＢ３化合物及びレチノイドは皮膚の状態を調節するための成分であり（ａ−２，ａ−３）、長期にわたり使用される（ａ−６）ものであるから、両者は
「ビタミンＢ３化合物、レチノイドの混合物から選択される、長期に亘って皮膚を調節するのに有効な安全かつ有効な量の活性物質；及び局所キャリアを含む局所適用組成物。」
である点で一致し、一方、以下の点で相違する。
　　
　前者においては、さらに「中央値（median)粒度が２〜３０μｍであり、屈折率が１．３〜１．７であり、組成物中に分散される第１粒子状物質を０．５％〜２５％」含むものであるのに対して、後者においてはそのような記載がない点。
　　　　
５．判断
　　　
　そこで相違点について、以下に検討する。
　　　
　引用文献１に記載の局所適用組成物は、そのとりうる形態として、「ファンデーション」があげられている（ａ−４、ａ−５）。
　また、引用文献２には、平均粒径３．０〜２０．０μｍの球状粉末を含有する固形粉末化粧料（ｂ−１）が記載され、その実施例２２にはファンデーションの処方として、平均粒径４．５μｍのトスパール１４５（東芝シリコーン株式会社製）を１０．０重量％配合するもの（ｂ−５）が開示されている。また、引用文献３にはファンデーションを含む化粧料の肌への密着性、感触化粧崩れの改善の目的でポリメチルシルセスキオキサン粉末を使用すること、当該粉末として平均粒子径４．５μｍのトスパール１４５が例示され、それを使用したファンデーションの処方が開示されている。
　そうすると、引用文献１に記載の局所適用組成物をファンデーションの形態に調製するにあたり、引用文献２、３に記載のトスパール１４５を配合したファンデーションに適した局所キャリヤを採用し、ビタミンＢ３及びレチノイドを加えることに格別の困難性は認められない。
　また、その配合割合にしても引用文献２（ｂ−４、ｂ−５）、引用文献３（ｃ−５）記載から容易に想到しうる程度のものである。
　　　
　本願発明においては粒子状物質を「中央値（median)粒度が２〜３０μｍであり、屈折率が１．３〜１．７であり、組成物中に分散される第１粒子状物質」と特定しているが、トスパール１４５は、本願明細書（段落【００２１】）でもこの第１次粒子の市販例として挙げられ、実施例１〜６においても使用されているものであるから、かかる中央値粒度、屈折率の値によって特定される粒子にトスパール１４５が包含されることは明らかである。
　そうすると、トスパール１４５を包含する本願発明は当業者が容易に想到し得たものである。
　　　
　そして、ファンデーションはその目的のひとつに「皮膚の欠陥を隠して滑らかで平滑な外観を皮膚に付与する」（ａ−５）ことがあげられ、即時の効果を奏するものであるから、ビタミンＢ３やレチノイドによる長期の効果に加えて即時的に皮膚の外観を向上させる効果を奏するという本願発明の効果にしても、引用例１の組成物をファンデーションの形態とした場合の効果として当業者が当然に予測しうるものであって、これを格別顕著な効果と評価することはできない。
　　　　
６．むすび
　したがって，本願発明は，引用文献１〜３に記載された事項に基づいて当業者が容易に発明をすることができたものであるから，特許法２９条２項の規定により特許を受けることができない。
　よって，結論のとおり審決する。